(57)【要約】【課題】映像音声ファイル領域に記録された映像音声ファイルを制御するための映像音声制御ファイルの不連続と無駄になる空き領域を最小限に抑える。【解決手段】記録媒体上のデータ領域は、映像音声ファイル領域と、映像音声制御ファイルが記録される映像音声制御ファイル領域と、ファイル管理情報が記録されるファイル管理領域の３つの領域に分けられる。所定の一の映像音声制御ファイル領域内に、記録媒体に確保されているすべての映像音声制御ファイル領域内の映像音声制御ファイルが記録されていない領域である空き領域の位置情報とサイズ情報とを示す空き領域情報を記録する。記録すべき映像音声制御ファイルのサイズが再生した空き領域情報から得た空き領域のサイズ以下であるとの比較結果が得られたときに（Ｓ１、Ｓ２）、映像音声制御ファイルを空き領域に書き込む（Ｓ８）。【選択図】図７
2009110136.tif 000002
【特許請求の範囲】
【請求項１】
記録媒体上のデータ領域を少なくとも、一以上の映像音声ファイル領域と、前記映像音声ファイル領域に記録された映像音声ファイルを制御するための制御情報が記録されている映像音声制御ファイルが記録される一以上の映像音声制御ファイル領域と、前記映像音声ファイル領域及び前記映像音声制御ファイル領域の書き込み位置を管理するためのファイル管理情報が記録されるファイル管理領域とに分けて記録再生する際に記録再生装置が実行する記録媒体のファイル管理方法であって、
所定の一の前記映像音声制御ファイル領域内に、前記記録媒体に確保されているすべての前記映像音声制御ファイル領域内の前記映像音声制御ファイルが記録されていない領域である空き領域の位置情報とサイズ情報とを示す空き領域情報を記録する第１のステップと、
新たな映像音声ファイルの記録に対応して映像音声制御ファイルを新たに記録する際に、再生した前記空き領域情報から得た一以上の前記空き領域のサイズと、新たに記録すべき前記映像音声制御ファイルのサイズとを比較する第２のステップと、
前記第２のステップにおいて前記新たに記録すべき映像音声制御ファイルのサイズが前記空き領域のサイズ以下であるとの比較結果が得られたときは、前記新たに記録すべき映像音声制御ファイルを前記空き領域に書き込む第３のステップと、
を含むことを特徴とするファイル管理方法。
【請求項２】
前記第２のステップにおいて、前記新たに記録すべき映像音声制御ファイルのサイズが前記空き領域のサイズより大であるとの比較結果が得られたときは、前記記録媒体上の前記映像音声ファイル領域の一部又は全てを前記新たに記録すべき映像音声制御ファイル用の領域として確保し、その確保した領域に前記新たに記録すべき映像音声制御ファイルを書き込む第４のステップを更に含むことを特徴とする請求項１記載のファイル管理方法。
【請求項３】
前記記録媒体上の任意の前記映像音声制御ファイルを削除する削除ステップと、
前記削除ステップで削除した前記映像音声制御ファイルが記録されていた領域の前記位置情報とサイズ情報とを前記空き領域情報に追加して更新する更新ステップと、
前記削除した映像音声制御ファイルを含む映像音声制御ファイル領域に、一つも他の映像音声制御ファイルが残っていなければ、前記削除した映像音声制御ファイルを含む映像音声制御ファイル領域を未使用の映像音声ファイル領域に設定する設定ステップと、
を更に含むことを特徴とする請求項１又は２記載のファイル管理方法。
【発明の詳細な説明】
【技術分野】
【０００１】
本発明はファイル管理方法に係り、特にファイルシステムのファイル管理方法に関する。
【背景技術】
【０００２】
ＵＤＦ(Universal Disc Format)などで規定されている光ディスクのファイル管理方法においては、ディスク管理情報は記録する実データと分離して予めまとまった領域を確保して記録し、管理しているが、実データを記録する領域を制御ファイルデータの領域とストリームデータの領域とに分離して管理していない。
【０００３】
一方、現在光ディスク、ハードディスクで代表される円盤状の記録媒体を高速で回転させ、データを記録するデータ記録装置においては、記録媒体におけるユーザが記録できる範囲を、一般的に論理セクタ（以下、単純に「セクタ」と呼ぶ）単位で管理している。このセクタは、一般的に５１２バイトから２０４８バイト程度までの２のｎ乗のサイズを有している。図１２に示す円盤状の記録媒体（ディスク）１０において、ユーザが記録できる範囲は、内周から外周に向かって上記セクタに番号を振って管理されている。例えば、図１２においては、先頭セクタを＃０とし、最終セクタを＃ｎ−１としている。
【０００４】
図１３は、記録媒体１０上の螺旋状のトラックに記録されるセクタを、便宜的に長手方向に配置した図を示す。全セクタ数がｎ個だとすると、先頭セクタの番号が＃０、最終セクタの番号は＃ｎ−１となる。これらのセクタに、記録データを管理するためのファイルシステムが記録される。
【０００５】
図１４はＵＤＦの概要を示す。図１４（Ａ）に示すように、ディスク上の螺旋状のトラックの先頭と最後にディスク管理領域１１と１２とが存在し、これらディスク管理領域１１、１２にはファイルシステムの名称、バージョン番号、管理のための基礎情報など様々な情報が書き込まれている。また、ディスク上の螺旋状のトラックのうち、ディスク管理領域１１及び１２を除いた領域にはデータ領域１３が形成される。ＵＤＦの場合、そのデータ領域１３には、図１４（Ｂ）に示すように、ファイル管理領域１３１、１３３がメタデータパーティションという形で形成されている。また、図１４（Ｂ）に示すように、データ領域１３のうちファイル管理領域１３１、１３３を除く領域が、通常のファイル領域１３２となっている。
【０００６】
従来は、このファイル領域１３２に映像と音声情報を制御するための制御ファイル（以下、映像音声制御ファイルと呼ぶ）と映像音声ファイルとを混在して記録しているため、映像・音声の記録と消去を繰り返し行うと、映像音声ファイルの書き込み領域（ディスクがＢＤ（Blu-Ray Disc）の場合、最低４８ＭＢの連続領域）の確保に支障を来している。また、映像音声制御ファイルの書き込みを考えると、その映像音声制御ファイルの前後が大きなサイズの映像音声ファイル領域に囲まれているため、映像音声制御ファイルのサイズが大きくなると映像音声ファイル領域を飛び越えて分割して記録しなければならなくなる。
【０００７】
このことについて、図１５と共に更に詳細に説明する。図１５（Ａ）、（Ｂ）、（Ｃ）はディスク上のトラックを横方向に線状に展開した図で、時系列に（Ａ）、（Ｂ）、（Ｃ）の順に並べた図である。図１５において、ディスク管理領域１１は、セクタ「０」であり、例えばボリューム・ディスクリプタ・シーケンス(Volume Descriptor Sequence:ＶＤＳ)領域である。また、ファイル管理領域１３１は、例えばメタデータファイル（Meta Data File:ＭＤＦ）領域である。このファイル管理領域１３１の位置は決まっていないが、ＥＣＣ(Error Correction Code)ブロック単位で領域は確保される。書き換え可能ディスク（ＢＤーＲＥ）の場合は、このファイル管理領域１３１は通常ＶＤＳ領域の後にあり、映像音声制御ファイルや映像音声ファイルの前に配置されることが多い。
【０００８】
図１５（Ａ）では、ファイル管理領域１３１に続いて映像音声制御ファイル領域１３４ａと映像音声ファイル領域１３５ａ、１３５ｂ、１３５ｃが４８ＭＢ単位で連続して記録されている（映像音声ファイル領域に不良セクタが含まれる場合は、６０ＭＢ）。
【０００９】
この図１５（Ａ）の状態から図１５（Ｂ）に示すように、映像音声ファイル領域１３５ｂが削除されると共に、映像音声制御ファイル領域１３４ａはその一部の領域１３６が削除された領域１３４ｂとされたものとする。続いて、図１５（Ｃ）に示すように、映像音声ファイル領域１３５ｄが追加記録されると、それに対応して映像音声制御ファイルが記録される。しかし、この記録される映像音声制御ファイルのサイズが、削除された領域１３６より大きくなった場合、記録される映像音声制御ファイルは図１５（Ｃ）に１３４ｃ、１３４ｄで示すように、映像音声制御ファイル領域１３４ｂの先に削除された部分（１３７）と、削除された映像音声ファイル領域１３５ｂの一部（１３５ｄ）とに分割して記録される。
【００１０】
このように、記録される映像音声制御ファイルが以前削除された映像音声ファイル領域１３５ｂの一部にかかってしまうと、映像音声ファイル領域１３５ｂであった区間は４８ＭＢのファイルを記録できないため、ここに映像音声ファイルを記録することは許されない。従って、次に映像音声ファイルを記録する場合は、別の４８ＭＢ連続した領域を探さなければならない。また、映像音声制御ファイルは映像音声ファイル領域１３５ａを跨いで記録されることから、図１５（Ｃ）にＡで示す大きな領域が余ることになる。
【００１１】
他方、複数の記憶領域毎に未使用ブロックを管理する管理テーブルを持つファイル管理システムでは、映像データや音声データのようなリアルタイム性が要求されるデータの規定されたレートでのデータの書込みを保証するために、連続して同一の記憶領域から割り当てられた未使用ブロックの数を計測し、その計測値が規定値を超えたか否かに応じて記憶領域を選出し、選出した記憶領域の未使用ブロックを順に割り当てるファイル管理方法も知られている（例えば、特許文献１参照）。
【００１２】
【特許文献１】特開平１１−９６０５２号公報
【発明の開示】
【発明が解決しようとする課題】
【００１３】
しかしながら、従来の管理ファイル方法では、映像音声ファイルの記録と消去を繰り返し行うと、映像音声ファイルに比べてサイズの小さな映像音声制御ファイルが記録媒体全体に散りばめられた状態となり、一つの映像音声制御ファイルが離散的に記録され、その読み出しにヘッドのシークが発生することになり、読み書きに時間が掛かり、特に再生時に出画の遅延が発生する。また、上記の映像音声制御ファイルが記録媒体全体に散りばめられることから、映像音声ファイルを連続して記録するための最小セグメントの確保が困難になり、ディスクの容量は残っているが、新たに映像音声ファイルを記録できないという状態になってしまう。
【００１４】
また、特許文献１記載のファイル管理方法では、複数の記憶領域毎に未使用ブロックを管理しているため、データ領域の無駄になる空き領域を最小限にすることや、映像音声制御ファイルの不連続を最小限にすることについては考慮されていない。
【００１５】
本発明は以上の点に鑑みなされたもので、映像音声制御ファイルの不連続と無駄になる空き領域を最小限に抑えることが可能なファイル管理方法を提供することを目的とする。
【課題を解決するための手段】
【００１６】
上記の目的を達成するため、本発明は、記録媒体上のデータ領域を少なくとも、一以上の映像音声ファイル領域と、映像音声ファイル領域に記録された映像音声ファイルを制御するための制御情報が記録されている映像音声制御ファイルが記録される一以上の映像音声制御ファイル領域と、映像音声ファイル領域及び映像音声制御ファイル領域の書き込み位置を管理するためのファイル管理情報が記録されるファイル管理領域とに分けて記録再生する際に記録再生装置が実行する記録媒体のファイル管理方法であって、
所定の一の映像音声制御ファイル領域内に、記録媒体に確保されているすべての映像音声制御ファイル領域内の映像音声制御ファイルが記録されていない領域である空き領域の位置情報とサイズ情報とを示す空き領域情報を記録する第１のステップと、新たな映像音声ファイルの記録に対応して映像音声制御ファイルを新たに記録する際に、再生した空き領域情報から得た一以上の空き領域のサイズと、新たに記録すべき映像音声制御ファイルのサイズとを比較する第２のステップと、第２のステップにおいて新たに記録すべき映像音声制御ファイルのサイズが空き領域のサイズ以下であるとの比較結果が得られたときは、新たに記録すべき映像音声制御ファイルを空き領域に書き込む第３のステップと、を含むことを特徴とする。
【００１７】
この発明では、映像音声ファイルを新たに記録する場合、その映像音声ファイルに対応した映像音声制御ファイルを、記録媒体上に確保されているすべての映像音声制御ファイル領域内の映像音声制御ファイルが記録されていない未使用領域をできるだけ使用して書き込むことができる。
【００１８】
また、上記の目的を達成するため、本発明は、上記発明の第２のステップにおいて、新たに記録すべき映像音声制御ファイルのサイズが空き領域のサイズより大であるとの比較結果が得られたときは、記録媒体上の映像音声ファイル領域の一部又は全てを新たに記録すべき映像音声制御ファイル用の領域として確保し、その確保した領域に新たに記録すべき映像音声制御ファイルを書き込む第４のステップを更に含むことを特徴とする。
【００１９】
また、上記の目的を達成するため、本発明は、記録媒体上の任意の映像音声制御ファイルを削除する削除ステップと、削除ステップで削除した映像音声制御ファイルが記録されていた領域の位置情報とサイズ情報とを空き領域情報に追加して更新する更新ステップと、削除した映像音声制御ファイルを含む映像音声制御ファイル領域に、一つも他の映像音声制御ファイルが残っていなければ、削除した映像音声制御ファイルを含む映像音声制御ファイル領域を未使用の映像音声ファイル領域に設定する設定ステップと、を更に含むことを特徴とする。
【００２０】
この発明では、任意の映像音声制御ファイルを削除した場合、その削除した映像音声制御ファイルを含む映像音声制御ファイル領域に一つも他の映像音声制御ファイルが残っていなければ、削除した映像音声制御ファイルを含む映像音声制御ファイル領域を未使用の映像音声ファイル領域に解放することができる。
【発明の効果】
【００２１】
本発明によれば、映像音声制御ファイルの不連続と映像音声制御ファイル領域内の無駄になる空き領域を最小限に抑えることができ、映像音声制御ファイルを効率的に記録できる。
【発明を実施するための最良の形態】
【００２２】
次に、本発明の実施の形態について図面と共に説明する。
【００２３】
図１は、記録再生装置において実行される本発明になるファイル管理方法の一実施の形態により管理されるディスク上のファイルを示す。図１（Ａ）、（Ｂ）は、ディスク上のトラックを横方向に線状に展開した図で、同図（Ａ）に示すように、ＵＤＦ等の所定の規格に準拠してディスク上の螺旋状のトラックの先頭と最後にディスク管理領域１１と１２とが存在し、これらディスク管理領域１１、１２にはファイルシステムの名称、バージョン番号、管理のための基礎情報など様々な情報が書き込まれている。また、ディスク上の螺旋状のトラックのうち、ディスク管理領域１１及び１２を除いた領域にはデータ領域１３が形成される。
【００２４】
以上の領域構成は従来と同様であるが、本実施の形態では、図１（Ｂ）に示すように、データ領域１３のうちファイル管理領域１３１、１３３を除く領域が、映像音声ファイル領域１３８ａ、１３８ｂ、１３８ｃと、映像音声制御ファイル領域１３９とからなる点に特徴がある。映像音声制御ファイル領域１３９は、予めまとまった領域が確保され、そこに複数のファイルが書き込みできるようにされている。
【００２５】
映像音声ファイル領域１３８ａ〜１３８ｃにはユーザ情報である一連の映像音声情報がファイル化されて映像音声ファイルとして記録される。映像音声制御ファイル領域１３９には、映像音声ファイル領域１３８ａ〜１３８ｃに記録された映像音声ファイル内の映像音声情報を制御するためのインデックス等の制御情報がファイル化されて映像音声制御ファイルとして記録される。更に、ファイル管理領域１３１、１３３には、映像音声ファイル及び映像音声制御ファイルの書き込み位置を管理するためのファイル管理情報が記録される。
【００２６】
また、映像音声制御ファイル領域が足りなくなった場合は、映像音声ファイル領域中の未使用領域（以下、空き領域ともいう）を映像音声制御ファイル領域に転用して新たに確保する。図２（Ａ）は映像音声制御ファイル領域の拡張前の、ファイル管理領域、拡張前の第１の映像音声制御ファイル領域、及び映像音声ファイル領域のセクタ番号とファイル名とを示す。この状態で映像音声制御ファイル領域が足りなくなった場合、図２（Ｂ）に示すように、映像音声ファイル領域内の空き領域に拡張後の第２の映像音声制御ファイル領域を確保する。
【００２７】
図３、図４（Ａ）は、このようにして拡張した映像音声制御ファイル領域１３９ａ、１３９ｂ、１３９ｃ、１３９ｄを示し、これら映像音声制御ファイル領域１３９ａ〜１３９ｄ以外の領域には映像音声ファイル領域１３８ａ〜１３８ｅが配置される。なお、図４（Ａ）中、ａ、ｂ、ｃ、ｄは映像音声制御ファイル領域の先頭のセクタ番号（アドレス）を示し、ａ’、ｂ’、ｃ’、ｄ’は映像音声制御ファイル領域のセクタ数（セクタ長）を示している。
【００２８】
ここで、単一の映像音声制御ファイル領域１３９、又は複数の映像音声制御ファイル領域のうち先頭の映像音声制御ファイル領域１３９ａには、図４（Ｂ）に示すように、先頭セクタから順に映像音声制御ファイル領域管理情報２０１、空き領域情報２０２、映像音声制御ファイル２０３が記録される。本実施の形態は、このうち空き領域情報２０２を用いてファイル管理する点に特徴がある。
【００２９】
上記の映像音声制御ファイル領域管理情報２０１は、映像音声制御ファイル領域全体を管理するための管理情報で、例えば従来から知られている図５に示す構成のファイルエントリ（File Entry）が用いられる。図５は１セクタ分のファイルエントリの構成を示しており、この構成自体は本発明の要旨ではなく、また図５中の記述子の意味は、ＯＳＴＡ（Optical Storage Technical Association）により策定された規格書に開示されているので、その詳細な説明は省略する。
【００３０】
また、図４（Ｂ）に示す空き領域情報２０２は、映像音声制御ファイル領域１３９、又は１３９ａ〜１３９ｄの中の連続する未使用領域を示す情報であり、未使用領域の先頭セクタアドレスと連続するセクタ長とを含む情報である。映像音声制御ファイル２０３は、図４（Ｃ）に示すように、実際に映像音声制御ファイルが記録された領域ｇ及びｈ以外に、未使用領域ｅ’、ｆ’が存在する。上記の空き領域情報２０２は、図４（Ｃ）に示す未使用領域ｅ’、ｆ’の先頭セクタアドレスｅ、ｆと、未使用領域ｅ’、ｆ’のサイズを示す連続するセクタ長とからなる情報である。また、空き領域情報２０２は、映像音声制御ファイル領域が１３９ａ〜１３９ｄで示すように複数存在する場合は、そのすべての映像音声制御ファイル領域内の未使用領域（空き領域）の先頭セクタアドレスと未使用領域のサイズ（セクタ長）を示す。
【００３１】
図６は空き領域情報２０２の一例の構成図を示す。同図に示すように、空き領域情報２０２は、１番目の空き領域＃１から最大で２５６番目の空き領域＃２５５までのセクタ長（Length）とスタートアドレス（先頭セクタアドレス）とを８バイト単位で示す１セクタ分の情報である。
【００３２】
２５６番目の空き領域を追加する場合には、空き領域＃２５５の次の８バイトの情報に、新たに確保する空き領域情報のセクタの位置と長さを書き込む。新たに確保された空き領域情報のセクタには、図６と同様の形式で空き領域情報の＃２５６以降のセクタ長とスタートアドレスとを書き込む。従って、新たな空き領域情報は、図６の空き領域＃１が空き領域＃２５６となる。セクタ内の空き領域情報が一杯になったときは、同様の方法で空き領域情報を追加する。
【００３３】
次に、本発明のファイル管理方法の一実施の形態における映像音声制御ファイルの書き込み時の動作について図７のフローチャートと共に説明する。
【００３４】
まず、記録するセクタ領域を確保した後、空き領域情報２０２の中に記録する映像音声制御ファイルのサイズ以上の空き領域（未使用領域）があるかどうかをチェックする（ステップＳ１）。空き領域があれば後述するステップＳ８へ進み、無ければ２以上の空き領域を使用して映像音声制御ファイルの書き込みができるかどうかをチェックする（ステップＳ２）。書き込みができれば、後述するステップＳ８へ進み、書き込みができなければ、記録に必要な未使用セクタ数が映像音声ファイル領域にあるかどうかをチェックする（ステップＳ３）。
【００３５】
記録に必要な未使用セクタ数が映像音声ファイル領域に無ければ、新たな映像音声制御ファイルの書き込みができないのでディスクフルとなり、エラー終了とする（ステップＳ４）。記録に必要な未使用セクタ数が映像音声ファイル領域にあれば、新たに映像音声ファイル領域より映像音声制御ファイル領域を確保した後（ステップＳ５）、新たに映像音声ファイル領域より映像音声制御ファイル領域に転用される部分の領域のスペースビットマップを使用済みに変更（更新）する（ステップＳ６）。続いて、図２と共に説明したように新たに拡張された映像音声制御ファイル領域を、映像音声制御ファイル用ファイルエントリ（図４（Ｂ）の映像音声制御ファイル領域管理情報２０１）に登録して更新する（ステップＳ７）。
【００３６】
ステップＳ７の処理後、又はステップＳ１で空き領域情報２０２の中に記録する映像音声制御ファイルのサイズ以上の空き領域（未使用領域）があると判定した場合、又はステップＳ２で２以上の空き領域を使用して映像音声制御ファイルの書き込みができると判定した場合は、映像音声制御ファイルを実際に書き込む（ステップＳ８）。これにより、１つの映像音声制御ファイルの書込みによる映像音声制御ファイル領域の分散化を最小限にすることができる。その後、映像音声制御ファイル用の空き領域情報（図４（Ｂ）の空き領域情報２０２）の未使用空き領域情報の変更分を登録して更新する（ステップＳ９）。
【００３７】
このように、本実施の形態では、図４（Ｂ）に示した空き領域情報２０２に基づいて、図４（Ｃ）に示す未使用領域ｅ’、ｆ’などの映像音声制御ファイル領域内の未使用領域に、新たな映像音声制御ファイルを連続して書き込めるときは、その未使用領域を使用して映像音声制御ファイルに書き込むようにしたため、映像音声制御ファイルの不連続と映像音声制御ファイル領域内の無駄になる空き領域を最小限に抑えることができる。これにより、本実施の形態によれば、映像音声制御ファイルを効率的に記録できるため、記録媒体のアクセス性を向上させることができ、再生時に映像音声ファイル領域からの映像音声ファイルの読み出しを従来よりも高速に行うことができる（出画時間を短縮することができる。）。
【００３８】
次に、本発明のファイル管理方法の一実施の形態における映像音声制御ファイルの一つを削除する時の動作について図８のフローチャートと共に説明する。まず、指定された映像音声制御ファイルを削除する（ステップＳ１１）。続いて、空き領域情報２０２を更新し、削除された映像音声制御ファイルのスタートアドレスとセクタ長とを空き領域（未使用領域）として登録する（ステップＳ１２）。
【００３９】
続いて、削除された映像音声制御ファイルを含む映像音声制御ファイル領域に一つもファイルが残っていないかチェックする（ステップＳ１３）。一つでもファイルが残っていれば処理を終了し、一つもファイルが残っていなければ、削除した映像音声制御ファイルを含む映像音声制御ファイル領域で使用されていたセクタ分に相当する映像音声ファイル領域用のスペースビットマップを未使用にして解放する（ステップＳ１４）。そして、映像音声制御ファイル領域用のファイルエントリ（図４（Ｂ）の映像音声制御ファイル領域管理情報２０１）から削除された映像音声制御ファイル領域を削除して更新する（ステップＳ１５）。
【００４０】
このように、本実施の形態では、任意の映像音声制御ファイルを削除した場合、削除した映像音声制御ファイルを含む映像音声制御ファイル領域に一つもファイルが残っていなければ、削除した映像音声制御ファイルを含む映像音声制御ファイル領域で使用されていたセクタ分に相当する映像音声ファイル領域用のスペースビットマップを未使用にするようにしたため、映像音声ファイル領域を確保することができ、記録と消去を繰り返した場合に、記録媒体の容量は残っているが、映像音声ファイルが記録できなくなるという現象を低減することができる。
【実施例１】
【００４１】
図９はデータ領域内の映像音声ファイル領域と映像音声制御ファイル領域の一例を示す。映像音声制御ファイルは見掛け上、確保されたサイズ分領域内で連続した論理セクタ番号で管理する。実際のディスク上のデータ領域では、映像音声制御ファイル領域は分割して存在している。
【００４２】
図１０は図４（Ｂ）に示した映像音声制御ファイル領域管理情報（ファイルエントリ）２０１の一例を示す。また、図１１は図４（Ｂ）に示した空き領域情報２０２の一例を示す。図１１において、一つの情報単位は８バイトであり、一つの情報単位が一つの映像音声制御ファイル領域の最大の空き領域（未使用領域）情報に対応している。一つの情報単位のうち前半の４バイト（３２ビット）がその映像音声制御ファイル領域の空き領域（未使用領域）の長さ（バイト単位）を表しており、後半の４バイト（３２ビット）が先頭からの開始アドレスを示している。いずれの４バイトとも整数で、リトルエンディアンで表される。
【図面の簡単な説明】
【００４３】
【図１】本発明のファイル管理方法の一実施の形態により管理されるディスク上のファイルを示す図である。
【図２】映像音声制御ファイル領域の拡張前と拡張後の、ファイル管理領域、拡張前の第１の映像音声制御ファイル領域、及び映像音声ファイル領域のセクタ番号とファイル名の一例を示す図である。
【図３】複数の映像音声制御ファイル領域の記録位置の一例を示す図である。
【図４】本発明のファイル管理方法により管理されるディスク上の映像音声制御ファイルと映像音声制御ファイルの一実施の形態の構成図である。
【図５】図４中の映像音声制御ファイル領域管理情報の一例の構成図である。
【図６】図４中の映像音声制御ファイル情報の一例の構成図である。
【図７】本発明のファイル管理方法の一実施の形態における映像音声制御ファイルの書き込み時の動作説明用フローチャートである。
【図８】本発明のファイル管理方法の一実施の形態における映像音声制御ファイルの一つを削除する時の動作説明用フローチャートである。
【図９】データ領域内の映像音声ファイル領域と映像音声制御ファイル領域の一例を示す図である。
【図１０】図４中の映像音声制御ファイル領域管理情報の一例を示す構成図である。
【図１１】図４中の空き領域情報の一例を示す構成図である。
【図１２】円盤状の記録媒体のセクタ配置の説明図である。
【図１３】記録セクタの状態を直線上に表した図である。
【図１４】ＵＤＦの概略説明図である。
【図１５】映像音声制御ファイルのサイズが大きい場合に、映像音声ファイル領域を飛び越えて分割して記録するときの説明図である。
【符号の説明】
【００４４】
１１、１２  ディスク管理領域
１３  データ領域
１３１、１３３  ファイル管理領域
１３８ａ、１３８ｂ、１３８ｃ、１３８ｄ、１３８ｅ  映像音声ファイル領域
１３９、１３９ａ、１３９ｂ、１３９ｃ、１３９ｄ  映像音声制御ファイル領域
２０１  映像音声制御ファイル領域管理情報
２０２  空き領域情報
２０３  映像音声制御ファイル
【図１】
2009110136.tif 000003
【図２】
2009110136.tif 000004
【図３】
2009110136.tif 000005
【図４】
2009110136.tif 000006
【図５】
2009110136.tif 000007
【図６】
2009110136.tif 000008
【図７】
2009110136.tif 000009
【図８】
2009110136.tif 000010
【図９】
2009110136.tif 000011
【図１０】
2009110136.tif 000012
【図１１】
2009110136.tif 000013
【図１２】
2009110136.tif 000014
【図１３】
2009110136.tif 000015
【図１４】
2009110136.tif 000016
【図１５】
2009110136.tif 000017